(57)【特許請求の範囲】
【請求項１】
ミラーと、
前記ミラーの前方に居る使用者を照らす照明装置と、
前記ミラーより下方に設けられたボウル部と、
前記ボウル部に水を吐出する水栓装置と、
を備えた洗面化粧台であって、
前記照明装置は、前記ミラーの下端近傍に配設され、前記ミラーの前方に居る使用者を
下方から照らす下方照明部を有し、
前記下方照明部は、前記ボウル部を上方から照らし、
前記下方照明部が下方へ照射する光の光量は、前記下方照明部が上方へ照射する光の光
量と略同一、又は、前記下方照明部が上方へ照射する光の光量より多く、
前記照明装置は、前記ミラーの上端近傍に配設され、前記ミラーの前方に居る使用者を
上方から照らす上方照明部をさらに有し、
前記上方照明部が下方へ照射する光の光量は、前記下方照明部が下方へ照射する光の光
量と略同一、又は前記下方照明部が下方へ照射する光の光量より少ないことを特徴とする
洗面化粧台。
【請求項２】
前記上方照明部が下方へ照射する光の光量は、前記下方照明部が上方へ照射する光の光
量より多いことを特徴とする請求項１に記載の洗面化粧台。
【発明の詳細な説明】
【技術分野】
【０００１】
本発明の態様は、一般的に、照明装置を備えた洗面化粧台に関する。
【背景技術】
【０００２】
ミラーと、ミラーの前方に居る使用者を照らす照明装置と、を備えたミラー装置が知られている。ミラー装置は、例えば洗面化粧台に用いられる。一般的に、ミラー装置においては、ミラーの上方に照明装置が設置され、ミラーの前方に居る使用者の上半身全体を照らすものである。しかし、ミラーの上方にある照明装置による上からの照明だけでは、的確に顔の化粧や髭剃り等を行うことが困難であった。そこで、ミラーの上方にある照明装置だけでなく、ミラーの下方に照明装置を設置し、下方からの照明も行う洗面化粧台が知られている（特許文献１）。
【０００３】
しかし、ミラーの下端近傍にある照明装置によって下から光を照らすと、使用者がミラーより下方に設けられた水栓装置からボウル部へ吐出された水を使用するために顔を下方へ向けた際に、この下からの照らし上げによって光が直接使用者の眼に入り、眩しく感じてしまうことがある。人間は眼に入った光量に応じて瞳孔の大きさを調整するため、光が使用者の眼に入ると、通常時より光を多く取り込まないように、使用者の瞳孔は小さくなる。その結果、ミラーより下方に設けられたボウル部及びボウル部に吐出される水が視認しづらくなり、洗面行為等が行いづらくなるといった問題がある。
【先行技術文献】
【特許文献】
【０００４】
【特許文献１】特開２００６−６８１８号公報
【発明の概要】
【発明が解決しようとする課題】
【０００５】
本発明は、かかる課題の認識に基づいてなされたものであり、的確に顔の化粧や髭剃り等を行いやすく、且つ、ボウル部及びボウル部に吐出される水が視認しやすく洗面行為等が行いやすい洗面化粧台を提供することを目的とする。
【課題を解決するための手段】
【０００６】
第１の発明は、ミラーと、前記ミラーの前方に居る使用者を照らす照明装置と、前記ミ
ラーより下方に設けられたボウル部と、前記ボウル部に水を吐出する水栓装置と、を備え
た洗面化粧台であって、前記照明装置は、前記ミラーの下端近傍に配設され、前記ミラー
の前方に居る使用者を下方から照らす下方照明部を有し、前記下方照明部は、前記ボウル
部を上方から照らし、前記下方照明部が下方へ照射する光の光量は、前記下方照明部が上方へ照射する光の光量と略同一、又は、前記下方照明部が上方へ照射する光の光量より多く、前記照明装置は、前記ミラーの上端近傍に配設され、前記ミラーの前方に居る使用者を上方から照らす上方照明部をさらに有し、前記上方照明部が下方へ照射する光の光量は、前記下方照明部が下方へ照射する光の光量と略同一、又は前記下方照明部が下方へ照射する光の光量より少ないことを特徴とする洗面化粧台である。
【０００７】
この洗面化粧台によれば、下方照明部によって、ミラーの前方に居る使用者を下方から
照らすことができるため、使用者は、下方からの照らし上げによって、的確に顔の化粧や
髭剃り等を行うことができる。その上、下方照明部は、ボウル部を上方から照らすため、
使用者が洗面行為のためにボウル部を見た際に、下方照明部による下方からの照らし上げ
によって、瞳孔が小さくなってしまっても、ボウル部も下方照明部によって照らされてい
るため、瞳孔が小さくても視認性が低下してしまうことを抑制できる。したがって、使用
者は、ボウル部をしっかりと見ながら洗面行為を行うことができる。即ち、使用者は、洗
面行為が行いやすい。
さらに、この洗面化粧台によれば、下方照明部が下方へ照射する光の光量は、下方照明部が上方へ照射する光の光量と略同一、又は、下方照明部が上方へ照射する光の光量より多い。よって、使用者が洗面行為のためにボウル部を見た際に、下方照明部による下方からの照らし上げによって、瞳孔が小さくなってしまっても、下方照明部が下方へ照射する光の光量と略同一又はその光量より多い光量でボウル部が照らされているため、よりしっかりとボウル部を視認することができる、したがって、使用者は、ボウル部をよりしっかりと見ながら洗面行為を行うことができる。即ち、使用者は、より洗面行為が行いやすい。
さらに、この洗面化粧台によれば、上方照明部によってミラーの前方に居る使用者を上方から照らすことができるため、下からの照らし上げの光量が多くなることで使用者の顔に発生する陰影による「お化け顔」が起こることを上方照明部による上方からの照らし下げによって抑制できる。よって、より自然な状態の顔で化粧等を行うことができる。
また、この際、上方照明部が下方へ照射する光の光量を、下方照明部が下方へ照射する
光の光量と略同一又はその光量より少ない光量としたことにより、上方照明部の存在によ
って瞳孔が小さくなることでボウル部及びボウル部に吐出される水が視認しづらくなるこ
とを抑制できる。
【００１２】
第２の発明は、第１の発明において、前記上方照明部が下方へ照射する光の光量は、前
記下方照明部が上方へ照射する光の光量より多いことであることを特徴とする洗面化粧台である。
【００１３】
この洗面化粧台によれば、上方照明部が下方へ照射する光の光量は、下方照明部が上方へ照射する光の光量より多いことから、使用者に対して、全体的に上方からの照らし下げの光量が多いこととなるため、下方からの照らし上げの光量が多くなることで使用者の顔に発生する陰影による「お化け顔」が起こることを抑制できる。よって、より自然な状態の顔で化粧等を行うことができる。
【発明の効果】
【００１４】
本発明の態様によれば、的確に顔の化粧や髭剃り等を行いやすく、且つ、ボウル部及びボウル部に吐出される水が視認しやすく洗面行為等が行いやすい洗面化粧台を提供することができる。
【図面の簡単な説明】
【００１５】
【図１】本発明の第１の実施の形態に係る洗面化粧台を示す模式的正面図である。
【図２】図１の洗面化粧台を示す模式的断面図である。
【図３】図２の洗面化粧台のミラーキャビネットを示す模式的斜視図である。
【図４】図３のミラーキャビネットの上端近傍を示す模式的断面図である。
【図５】図３のミラーキャビネットの下端近傍を示す模式的断面図である。
【図６】図３のミラーキャビネットにおいて、照明装置が光を照射している状態を示す模式的断面図である。
【図７】照度の測定方法を説明するための模式的断面図である。
【図８】上方照明側発光素子によって下方へ光を照射している上方照明部を示す模式的断面図である。
【図９】下方照明側発光素子によって上方へ光を照射している下方照明部を示す模式的断面図である。
【図１０】ミラー装置の前方に居る使用者に光が照射された状態を示す模式的側面図である。
【図１１】本発明の第１の変形例に係るミラーキャビネットを示す模式的断面図である。
【図１２】本発明の第２の変形例に係るミラーキャビネットを示す模式的断面図である。
【発明を実施するための形態】
【００１６】
以下、本発明の実施の形態について図面を参照しつつ説明する。なお、各図面中、同様の構成要素には同一の符号を付して詳細な説明は適宜省略する。
また、本発明において、使用者がミラー１を用いて顔を視認するために洗面化粧台１００及びミラー装置３に向かって立っている位置が、洗面化粧台１００及びミラー装置３に対する「前方」であると定義する。
また、本発明において、「光量」と「照度」は比例関係にあり、光量が多いものは照度が高く、光量が少ないものは照度が低いものである。
【００１７】
図１は、本発明の第１の実施の形態に係る洗面化粧台を示す模式的正面図である。図２は、図１の洗面化粧台を示す模式的断面図である。図３は、図２の洗面化粧台のミラーキャビネットを示す模式的斜視図である。
【００１８】
図１〜３に示すように、洗面化粧台１００は、ミラーキャビネット１０２と、ミラーキャビネット１０２の下方に設けられた、例えばガラス製のバックパネル１０４と、バックパネル１０４より下方に設けられた、例えば樹脂製のボウル部１０６と、ボウル部１０６の上端に載置され、ボウル部１０６内に水を吐出させる水栓装置１０８と、ボウル部１０６より下方に設けられた、例えば木製の収納キャビネット１１０と、を備えている。
【００１９】
ミラーキャビネット１０２は、ミラー１及びミラー１の前方に立っている使用者を照らす照明装置２を有するミラー装置３と、ミラー１の後方に設けられ、ミラー１を開閉扉として内部に収納空間を有するキャビネット本体４と、有している。ミラー１は３枚あり、左右方向に並んで設けられている。
【００２０】
照明装置２は、上方照明部６及び下方照明部８を有する。上方照明部６は、ミラー１の上端近傍に配設され、ミラー１の前方に居る使用者を上方から照らす。下方照明部８は、ミラー１の下端近傍に配設され、ミラー１の前方に居る使用者を下方から照らす。
【００２１】
上方照明部６及び下方照明部８によって、上下方向から使用者の顔を照らすことができるため、使用者は的確に顔の化粧や髭剃り等を行うことができる。
【００２２】
図４は、図３のミラーキャビネットの上端近傍を示す模式的断面図である。図５は、図３のミラーキャビネットの下端近傍を示す模式的断面図である。
【００２３】
図４に示すように、上方照明部６は、電線（図示せず）に接続された光源である上方照明側発光素子（上方照明側光源）１０、及び、上方照明本体部１２、を有する。上方照明本体部１２は、上方照明側発光素子１０を支持する上方照明側発光素子支持部１４、及び、上方照明側発光素子１０及び上方照明側発光素子支持部１４を覆う上方照明カバー１６、を有する。上方照明側発光素子１０は、上方照明カバー１６内部の上方に設けられており、下に向かって光を放出している。この上方照明側発光素子１０は複数個設けられており、上方照明カバー１６内部において、照明装置２の長手方向（左右方向）、即ち、ミラー装置３の左右方向に亘って、等間隔で配置されている。
【００２４】
図５に示すように、下方照明部８は、電線に接続された光源である下方照明側発光素子（下方照明側光源）１８、及び、下方照明本体部２０と、を有する。下方照明本体部２０は、下方照明側発光素子１８を支持する下方照明側発光素子支持部２２、及び、下方照明側発光素子１８及び下方照明側発光素子支持部２２を覆う下方照明カバー２４、を有する。下方照明側発光素子１８は、下方照明カバー２４内部の上方に設けられており、下に向かって光を放出している。この下方照明側発光素子１８は複数個設けられており、下方照明カバー２４内部において、照明装置２の長手方向（左右方向）、即ち、ミラー装置３の左右方向に亘って、等間隔で配置されている。
【００２５】
上方照明カバー１６は例えば樹脂製であり、上方照明側発光素子１０から放出された光が通過する第１の上方照明側通過部（上方照明側通過部）２６及び第２の上方照明側通過部２８を有する。第１の上方照明側通過部２６は、上方照明カバー１６の下方（下面）に設けられている。第２の上方照明側通過部２８は、上方照明カバー１６の上方（上面）に設けられている。第１の上方照明側通過部２６を通過した上方照明側発光素子１０から放出された光は、上方照明部６の下方へ照射され、ミラー１の前方に立っている使用者を照らす。第２の上方照明側通過部２８を通過した上方照明側発光素子１０から放出された光は、上方照明部６の上方へ照射され、洗面化粧台１００が設置された部屋（化粧室）の天井等を照らす。
【００２６】
下方照明カバー２４は例えば樹脂製であり、下方照明側発光素子１８から放出された光が通過する第１の下方照明側通過部（下方照明側通過部）３２及び第２の下方照明側通過部３４を有する。第１の下方照明側通過部３２は、下方照明カバー２４の上方（上面）に設けられている。第２の下方照明側通過部３４は、下方照明カバー２４の下方（下面）に設けられている。第１の下方照明側通過部３２を通過した下方照明側発光素子１８から放出された光は、下方照明部８の上方へ照射され、ミラー１の前方に立っている使用者を照らす。第２の下方照明側通過部３４を通過した下方照明側発光素子１８から放出された光は、下方照明部８の下方に照射され、例えばボウル部１０６や水栓装置１０８等を照らす。
【００２７】
このことより、本発明の実施の形態に係る洗面化粧台１００によれば、下方照明部８によって、ミラー１の前方に居る使用者を下方から照らすことができるため、使用者は、下方からの照らし上げによって、的確に顔の化粧や髭剃り等を行うことができる。その上、下方照明部８は、ボウル部１０６を上方から照らすため、使用者が洗面行為のためにボウル部１０６を見た際に、下方照明部８による下方からの照らし上げによって、瞳孔が小さくなってしまっても、ボウル部１０６も下方照明部８によって照らされているため、瞳孔が小さくても視認性が低下してしまうことを抑制できる。したがって、使用者は、ボウル部１０６をしっかりと見ながら洗面行為を行うことができる。即ち、使用者は、洗面行為が行いやすい。
【００２８】
上方照明側発光素子１０は、上方照明カバー１６内部の上方に設けられており、下に向かって光を放出している。その結果、上方照明側発光素子１０から放出される光は、第２の上方照明側通過部２８よりも第１の上方照明側通過部２６を多く通過する。したがって、上方照明部６が下方へ照射する光の光量は、上方照明部６が上方へ照射する光の光量より多い。
【００２９】
下方照明側発光素子１８は、下方照明カバー２４内部の上方に設けられており、下に向かって光を放出している。その結果、下方照明側発光素子１８から放出される光は、第１の下方照明側通過部３２よりも第２の下方照明側通過部３４を多く通過する。したがって、下方照明部８が下方へ照射する光の光量は、下方照明部８が上方へ照射する光の光量より多い。
【００３０】
このように、下方照明部８が下方へ照射する光の光量は、下方照明部８が上方へ照射する光の光量より多いことから、使用者が洗面行為のためにボウル部１０６を見た際に、下方照明部８による下方からの照らし上げによって、瞳孔が小さくなってしまっても、ボウル部１０６は、下方照明部８が下方へ照射する光の光量より多い光量で照らされているため、よりしっかりとボウル部１０６を視認することができる。したがって、使用者は、ボウル部１０６をよりしっかりと見ながら洗面行為を行うことができる。即ち、使用者は、より洗面行為が行いやすい。なお、本発明の実施の形態においては、下方照明部８が下方へ照射する光の光量は、下方照明部８が上方へ照射する光の光量より多いものであったが、下方照明部８が下方へ照射する光の光量と下方照明部８が上方へ照射する光の光量とが略同一のものであっても、上述した効果を奏するものであり、本発明に含まれるものである。ここでいう「略同一」とは、互いの照度の差分が５０ルクス（ｌｘ）以内のものであると定義する。
【００３１】
上方照明側発光素子１０及び下方照明側発光素子１８は、例えば発光ダイオード（Light Emitting Diode：ＬＥＤ）である。電線は、外部電源からの交流電流を直流電流に変換するＡＣＤＣコンバータである電源装置（交流直流変換器）３６を介して外部電源に接続されており、上方照明側発光素子１０及び下方照明側発光素子１８に電流を供給する。電源装置３６は、キャビネット本体４の上面に設置されている。
【００３２】
上方照明側発光素子支持部１４は、上方照明側発光素子１０が設けられている上方照明側基板３０を支持及び固定している。また、上方照明側発光素子支持部１４は金属製であるため、上方照明側発光素子支持部１４には、上方照明側発光素子１０に電流が供給されたことによって生じる熱が効率的に伝導され、且つ、上方照明側発光素子支持部１４によってその熱を外部に放出させることができる。その結果、上方照明側発光素子１０が熱によって壊れてしまうことを防ぐことができる。
【００３３】
下方照明側発光素子支持部２２は、下方照明側発光素子１８が設けられている下方照明側基板３８を支持及び固定している。また、下方照明側発光素子支持部２２は金属製であるため、下方照明側発光素子支持部２２には、下方照明側発光素子１８に電流が供給されたことによって生じる熱が効率的に伝導され、且つ、下方照明側発光素子１８によってその熱を外部に放出させることができる。その結果、下方照明側発光素子１８が熱によって壊れてしまうことを防ぐことができる。
【００３４】
下方照明部８から上方に向かって照射される光の光量は、上方照明部６から下方に向かって照射される光の光量より、少ない。即ち、下方照明部８から上方に向かって照射される光の照度は、上方照明部６から下方に向かって照射される光の照度より、少ない。このことは、例えば、下方照明本体部２０が有する、下方照明側通過部２８を通過した下方照明側発光素子１８から放出された光の光量を低減させる光量低減手段（後に詳述）によるものである。
【００３５】
このように、下方照明部８から上方に向かって照射される光の光量を上方照明部６から下方に向かって照射される光の光量より少ないものとしたため、下方からの照らし上げによって、使用者が感じる眩しさを低減することができる。また、下方照明部８から上方に向かって照射される光の光量を上方照明部６から下方に向かって照射される光の光量より少ないものとしたため、全体的に上方からの照らし下げの光量の方が多いこととなり、下方からの照らし上げの光量が多くなることで使用者の顔に発生する陰影による「お化け顔」が起こることを抑制できる。よって、より自然な状態の顔で化粧等を行うことができる。
【００３６】
光量低減手段は、例えば、第１の下方照明側通過部（下方照明側通過部）３２を、第１の上方照明側通過部（上方照明側通過部）２６より、小さくしたことである。本発明の実施の形態に係るミラー装置３においては、第１の下方照明側通過部（下方照明側通過部）３２の前方方向の長さは５ミリメートル（ｍｍ）であり、左右方向の長さは８００ｍｍである。したがって、第１の下方照明側通過部（下方照明側通過部）３２の面積は、約４０００平方ミリメートルである。一方で、第１の上方照明側通過部（上方照明側通過部）２６の前方方向の長さは１４ｍｍであり、左右方向の長さは８００ｍｍである。したがって、第１の上方照明側通過部（上方照明側通過部）２６の面積は、約１１２００平方ミリメートルである。このことから、第１の下方照明側通過部（下方照明側通過部）３２の面積は、第１の上方照明側通過部（上方照明側通過部）２６の面積より、約７２００平方ミリメートル小さい。したがって、下方照明部８から上方に向かって照射される光の光量は、上方照明部６から下方に向かって照射される光の光量より、少ない。
【００３７】
このことより、光量低減手段は、第１の下方照明側通過部（下方照明側通過部）３２を、第１の上方照明側通過部（上方照明側通過部）２６より、小さくしたことであるため、複雑な装置等を用意する必要なく、極めて簡単な構成で、第１の下方照明側通過部（下方照明側通過部）３２を通過した下方照明側発光素子１８から放出された光の光量を低減させることができる。
【００３８】
本発明の実施の形態に係るミラー装置３においては、第２の上方照明側通過部２８の前方方向の長さは５ミリメートル（ｍｍ）であり、左右方向の長さは８００ｍｍである。したがって、第２の上方照明側通過部２８の面積は、約４０００平方ミリメートルである。また、第２の下方照明側通過部３４の前方方向の長さは１４ｍｍであり、左右方向の長さは８００ｍｍである。したがって、第２の下方照明側通過部３４の面積は、約１１４００平方ミリメートルである。このことから、第２の上方照明側通過部２８の面積は、第２の下方照明側通過部３４の面積より、約７２００平方ミリメートル小さい。したがって、上方照明部６から上方に向かって照射される光の光量は、下方照明部８から下方に向かって照射される光の光量より、少ない。
【００３９】
光量低減手段は、例えば、第１の下方照明側通過部（下方照明側通過部）３２の透過率を、第１の上方照明側通過部（上方照明側通過部）２６の透過率より、小さくしたことである。本発明の実施の形態に係るミラー装置３においては、第１の下方照明側通過部（下方照明側通過部）３２の透過率は、４０パーセント（％）であり、第１の上方照明側通過部（上方照明側通過部）２６の透過率は、６０％である。即ち、第１の下方照明側通過部（下方照明側通過部）３２の透過率は、第１の上方照明側通過部（上方照明側通過部）２６の透過率より、２０％分小さい。したがって、下方照明部８から上方に向かって照射される光の光量は、上方照明部６から下方に向かって照射される光の光量より、少ない。
【００４０】
このことより、光量低減手段は、第１の下方照明側通過部（下方照明側通過部）３２の透過率を第１の上方照明側通過部（上方照明側通過部）２６の透過率より小さくしたことであるため、複雑な装置等を用意する必要なく、極めて簡単な構成で、第１の下方照明側通過部（下方照明側通過部）３２を通過した下方照明側発光素子１８から放出された光の光量を低減させることができる。
【００４１】
本発明の実施の形態に係るミラー装置３においては、第２の上方照明側通過部２８の透過率は、４０パーセント（％）であり、第２の下方照明側通過部３４の透過率は、６０％である。即ち、第２の上方照明側通過部２８の透過率は、第２の下方照明側通過部３４の透過率より、２０％分小さい。したがって、上方照明部６から上方に向かって照射される光の光量は、下方照明部８から下方に向かって照射される光の光量より、少ない。
【００４２】
光量低減手段は、例えば、第１の下方照明側通過部（下方照明側通過部）３２から下方照明側発光素子１８までの光路の長さ（光路距離）を、第１の上方照明側通過部（上方照明側通過部）２６から上方照明側発光素子１０までの光路距離より、大きくしたことである。即ち、第１の下方照明側通過部（下方照明側通過部）３２から下方照明側発光素子１８までの光路距離は、Ｄ１であり、第１の上方照明側通過部（上方照明側通過部）２６から上方照明側発光素子１０までの光路距離はＤ１＋Ｄ２である。光源である発光素子の光強度特性が同じ場合、発光素子からの光路距離が遠い位置に通過部が設けられているものの方が、通過部から放出された光の光量は少ないことから、下方照明部８から上方に向かって照射される光の光量は、上方照明部６から下方に向かって照射される光の光量より、少ない。
【００４３】
このことより、光量低減手段は、第１の下方照明側通過部（下方照明側通過部）３２から下方照明側発光素子１８までの光路距離を、第１の上方照明側通過部（上方照明側通過部）２６から上方照明側発光素子１０までの光路距離より大きくしたことであるため、複雑な装置等を用意する必要なく、極めて簡単な構成で、第１の下方照明側通過部（下方照明側通過部）３２を通過した下方照明側発光素子１８から放出された光の光量を低減させることができる。
【００４４】
光量低減手段は、例えば、下方照明側発光素子１８が照射する光の照射方向と上方照明側発光素子１０が照射する光の照射方向とを異なる方向とすることで、下方照明側発光素子１８から照射された光が第１の下方照明側通過部（下方照明側通過部）３２を通過する光量を、上方照明側発光素子１０から照射された光が第１の上方照明側通過部（上方照明側通過部）２６を通過する光量より、少なくしたことである。言い換えると、上方照明側発光素子１０が照射する光は、下方照明側発光素子１８が照射する光より、よりそれぞれの通過部へ向いて放出されている。つまり、本発明の実施の形態に係るミラー装置３においては、上方照明側発光素子１０が照射する光の照射方向である上方照明側発光素子１０が照射する光の中心軸が上方照明カバー１６と交わる点と第１の上方照明側通過部（上方照明側通過部）２６との間の距離は、下方照明側発光素子１８が照射する光の照射方向である下方照明側発光素子１８が照射する光の中心軸が下方照明カバー２４と交わる点と第１の下方照明側通過部（下方照明側通過部）３２との間の距離より、短い。
【００４５】
このことより、光量低減手段は、下方照明側発光素子１８が照射する光の照射方向と上方照明側発光素子１０が照射する光の照射方向とを異なる方向とすることで、下方照明側発光素子１８から照射された光が第１の下方照明側通過部（下方照明側通過部）３２を通過する光量を、上方照明側発光素子１０から照射された光が第１の上方照明側通過部（上方照明側通過部）２６を通過する光量より、少なくしたことにより、複雑な装置等を用意する必要なく、極めて簡単な構成で、第１の下方照明側通過部（下方照明側通過部）３２を通過した下方照明側発光素子１８から放出された光の光量を低減させることができる。
【００４６】
上方照明部６が下方へ照射する光の光量は、下方照明部８が下方へ照射する光の光量と略同一である。なお、ここでいう「略同一」とは、例えば、互いの照度の差分が５０ｌｘ以内であると定義する。
このことは、例えば、第１の上方照明側通過部２６の面積と第２の下方照明側通過部３４の面積とが、略同一であることにより、実現されている。なお、ここでいう「略同一」とは、例えば、互いの面積の差分が５０平方ミリメートル以内であると定義する。
また、このことは、例えば、第１の上方照明側通過部２６の透過率と第２の下方照明側通過部３４の透過率とが、略同一であることにより、実現されている。なお、ここでいう「略同一」とは、例えば、互いの透過率の差分が５％以内のものであると定義する。
【００４７】
このように、上方照明部６が下方へ照射する光の光量を、下方照明部８が下方へ照射する光の光量と略同一のものとしたことにより、上方照明部６の存在によって瞳孔が小さくなることでボウル部１０６及びボウル部１０６に吐出される水栓装置１０８からの水が視認しづらくなることを抑制できる。なお、本発明の実施の形態においては、上方照明部６が下方へ照射する光の光量と下方照明部８が下方へ照射する光の光量とを略同一としたものであったが、上方照明部６が下方へ照射する光の光量を下方照明部８が下方へ照射する光の光量より少ない光量としたものであっても、上述した効果を奏するものであり、本発明に含まれるものである。
【００４８】
図６は、図３のミラーキャビネットにおいて、照明装置が光を照射している状態を示す模式的断面図である。図７は、照度の測定方法を説明するための模式的断面図である。
【００４９】
図６に示すように、本発明の実施の形態において、上方照明部６及び下方照明部８は、それぞれ上方及び下方に向かって、光を照射している。なお、それぞれの光の照射方向については、図１０を用いて後に詳述する。
【００５０】
図７に示すように、照度（光量）の測定は、例えば照度計６０を用いて行われる。
本発明の実施の形態に係るミラーキャビネット１０２の寸法は、以下の通りである。ミラーキャビネット１０２の上端から下端までの長さは、７９０ｍｍである。上方照明部６と下方照明部８との間の寸法（ミラー１の上下方向の長さ）は、７３３ｍｍである。また、上方照明部６の先端（前端）とミラーキャビネット１０２の背面との間の距離Ｄ１２は、１５２ｍｍである。下方照明部８の先端（前端）とミラーキャビネット１０２の背面との間の距離Ｄ１３は、１４２ｍｍである。このように、下方照明部８の前端は、上方照明部６の前端より、後方に位置している。したがって、背の低い幼児等がミラー１に近づいた際にも、幼児等の眼に下方照明部８の上方発光面である第１の下方照明側通過部（下方照明側通過部）３２からの光が入る可能性を低減させつつも、使用者が洗面行為を行うためにボウル部に顔を近づける際にも、下方照明部８がこの洗面行為の邪魔となることを、抑制できる。
【００５１】
上述した条件において、上方照明部６及び下方照明部８から、それぞれの上下方向に照射される光の強度は、例えば、ミラーキャビネット１０２の鏡面と照度計６０との間の距離Ｄ１４を３００ｍｍとして、測定される。
上方照明部６から上方に向けて照射される光の照度は、照度計６０を上方照明部６の上方に配し、上方照明部６と照度計６０との間の上下方向における距離Ｄ１５を３００ｍｍとして、測定される。
上方照明部６から下方に向けて照射される光の照度は、照度計６０を上方照明部６の下方に配し、上方照明部６と照度計６０との間の上下方向における距離Ｄ１６を３００ｍｍとして、測定される。
【００５２】
下方照明部８から上方に向けて照射される光の照度は、照度計６０を下方照明部８の上方に配し、下方照明部８と照度計６０との間の上下方向における距離Ｄ１７を３００ｍｍとして、測定される。
下方照明部８から下方に向けて照射される光の照度は、照度計６０を下方照明部８の下方に配し、下方照明部８と照度計６０との間の上下方向における距離Ｄ１８を３００ｍｍとして、測定される。
【００５３】
本発明の実施の形態に係るミラー装置３においては、上方照明部６も下方照明部８も、共に光源を発光素子であるＬＥＤとしているため、蛍光灯等に比べ、発光効率が良く、高寿命である。また、上方照明側発光素子１０も下方照明側発光素子１８も、共に同じ電線に接続されているため、施工やメンテナンスが行いやすい。そして、下方照明本体部２０は、第１の下方照明側通過部（下方照明側通過部）３２を通過した下方照明側発光素子１８から放出された光の光量を低減させる光量低減手段を有するため、上方照明側発光素子１０と下方照明側発光素子１８とを異なる発光特性を有する発光素子にする必要がなく、下方照明部８から上方に向かって照射される光の光量を、上方照明部６から下方に向かって照射される光の光量より、少ないものにできる。
【００５４】
図６に示すように、上方照明部６の下方発光面である第１の上方照明側通過部（上方照明側通過部）２６の前端は、下方照明部８の上方発光面である第１の下方照明側通過部（下方照明側通過部）３２の前端より、前方に位置している。言い換えると、下方照明部８の上方発光面である第１の下方照明側通過部（下方照明側通過部）３２の前端は、上方照明部６の下方発光面である第１の上方照明側通過部（上方照明側通過部）２６の前端より、後方に位置している。
【００５５】
下方照明部８は、ミラー１の下端近傍に位置していることから、背の低い幼児等の眼の高さに近い位置に配置されている。そこで、このミラー装置３によれば、第１の下方照明側通過部（下方照明側通過部）３２の前後方向の長さを第１の上方照明側通過部（上方照明側通過部）２６の前後方向の長さより小さくしたことを有効利用し、第１の下方照明側通過部（下方照明側通過部）３２の前端を第１の上方照明側通過部（上方照明側通過部）２６の前端より後方に位置させることにより、幼児等がミラー１に近づいた際にも、幼児等の眼に下方照明部８の上方発光面である第１の下方照明側通過部（下方照明側通過部）３２からの光が入る可能性を低減させることができる。
【００５６】
図８は、上方照明側発光素子によって下方へ光を照射している上方照明部を示す模式的断面図である。図９は、下方照明側発光素子によって上方へ光を照射している下方照明部を示す模式的断面図である。図１０は、ミラー装置の前方に居る使用者に光が照射された状態を示す模式的側面図である。
【００５７】
図８〜１０に示すように、ミラー装置３から前方方向へ一定距離以上離れた使用者Ｈ１には、上方照明部６から下方に向かって照射される光のみ当たり、ミラー装置３から前方に一定距離以内にいる使用者Ｈ２には、下方照明部８から上方に向かって照射される光が当たる。即ち、ミラー装置３から前方において、上方照明部６から下方に向かって照射される光のみ当たるエリア（範囲）と、該エリアよりミラー装置３に近い位置に下方照明部８から上方に向かって照射される光が当たるエリア（範囲）がある。また、本発明の実施の形態において、下方照明部８から上方に向かって照射される光が当たるエリア（範囲）では、上方照明部６から下方に向かって照射される光も当たる。
【００５８】
このことより、髭剃り等の下方照射が必要な行為を行う際には、使用者はミラー１に近づくことによって下方照明部８から照射される光を強く受けることで、これら下方照射が必要な行為を的確に行うことができる。そして、下方照射が必要な行為を行わないときには、ミラー１から一定距離以上離れた位置から身だしなみチェック等を行うことで、下方からの照らし上げによって使用者が感じる眩しさを低減することができる。なお、実際には光は回折するため、使用者Ｈ１にも、下方照明部８から上方に向かって照射される光が当たるものの、使用者Ｈ１の顔の位置（ミラー１の上下方向における中央線Ａ）において、下方照明部８から上方に向かって照射される光の光量（照度）は、上方照明部６から下方に向かって照射される光の光量（照度）より、小さい。使用者Ｈ１の顔の位置（ミラー１の上下方向における中央線Ａ）において、下方照明部８から上方に向かって照射される光の光量（照度）は、上方照明部６から下方に向かって照射される光の光量（照度）の、例えば１０分の１以下である。
【００５９】
図８〜９に示すように、上方照明側発光素子１０から出た光が第１の上方照明側通過部（上方照明側通過部）２６の前端を通った際の仮想線が、上方照明側前方仮想線Ｘ１である。下方照明側発光素子１８から出た光が第１の下方照明側通過部（下方照明側通過部）３２の前端を通った際の仮想線が、下方照明側前方仮想線Ｘ２である。上方照明側発光素子１０から出た光が第１の上方照明側通過部（上方照明側通過部）２６の後端を通った際の仮想線が、上方照明側後方仮想線Ｘ３である。下方照明側発光素子１８から出た光が第１の下方照明側通過部（下方照明側通過部）３２の後端を通った際の仮想線が、下方照明側後方仮想線Ｘ４である。
なお、上方照明側前方仮想線Ｘ１及び上方照明側後方仮想線Ｘ３は、便宜上、上方照明側発光素子１０を点光源（上方照明側発光素子１０における中心から光が照射する光源）と考えて幾何光学に基づいて定義した仮想線である（図８参照）。また、下方照明側前方仮想線Ｘ２及び下方照明側後方仮想線Ｘ４は、便宜上、下方照明側発光素子１８を点光源（下方照明側発光素子１８における中心から光が照射する光源）と考えて幾何光学に基づいて定義した仮想線である（図９参照）。
【００６０】
上方照明側前方仮想線Ｘ１と上方照明側後方仮想線Ｘ３とで囲まれた領域が、上方照明部６から下方に向かって照射される光の照射領域である。ただし、この領域はあくまで幾何光学に基づいて算出したものであり、実際には光は回折するため、この照射領域の範囲外にも光は放出されている。
【００６１】
下方照明側前方仮想線Ｘ２と下方照明側後方仮想線Ｘ４とで囲まれた領域が、下方照明部８から上方に向かって照射される光の照射領域である。ただし、この領域はあくまで幾何光学に基づいて算出したものであり、実際には光は回折するため、この照射領域の範囲外にも光は放出されている。
【００６２】
図１０に示すように、上方照明側発光素子１０から出た光が第１の上方照明側通過部（上方照明側通過部）２６の前端を通った際の仮想線である上方照明側前方仮想線Ｘ１と、下方照明側発光素子１８から出た光が第１の下方照明側通過部（下方照明側通過部）３２の前端を通った際の仮想線である下方照明側前方仮想線Ｘ２と、が交わる点は、ミラー１の上下方向における中央線Ａより、高い位置である。
【００６３】
このことより、ミラー装置３から前方方向へ一定距離以上離れた使用者には、上方照明部６から下方に向かって照射される光のみ当たり、ミラー装置３から前方に一定距離以内にいる使用者には、下方照明部６８から上方に向かって照射される光が当たることになり、髭剃り等の下方照射が必要な行為を行う際には、使用者はミラー１に近づくことによって下方照明部８から照射される光を強く受けることで、これら下方照射が必要な行為を的確に行うことができる。また、下方照射が必要な行為を行わないときには、ミラー１から一定距離以上離れた位置から身だしなみチェック等を行うことで、下方からの照らし上げによって使用者が感じる眩しさを低減することができる。
【００６４】
図１０に示すように、上方照明側発光素子１０から出た光が第１の上方照明側通過部（上方照明側通過部）２６の後端を通った際の仮想線である上方照明側後方仮想線Ｘ３、及び、下方照明側発光素子１８から出た光が第１の下方照明側通過部（下方照明側通過部）３２の後端を通った際の仮想線である下方照明側後方仮想線Ｘ４は、それぞれの照明部からミラー１方向へ光を照射している。即ち、上方照明部６から下方へ照射された光も、下方照明部８から上方へ照射された光も、少なくとも一部は後方へ向かって放出されている。ミラー装置３の後方方向へ向かって放出された光の少なくとも一部は、ミラー１によって反射され、ミラー装置３の前方方向へ向かって進む。
【００６５】
このように、上方照明側後方仮想線Ｘ３及び下方照明側後方仮想線Ｘ４によると、上方照明部６も下方照明部８もミラー１方向（ミラー装置３の後方方向）まで光を照射している。このことから、第１の下方照明側通過部（下方照明側通過部）３２から照射された光がミラー装置３の前方に居る使用者に当たる際には、必然的に第１の上方照明側通過部（上方照明側通過部）２６から下方に向かって照射される光も当たるため、下方からの照らし上げの光量が多くなることで使用者の顔に発生する陰影による「お化け顔」が起こることを抑制でき、より自然な状態の顔で化粧等を行うことができる。
【００６６】
本発明の実施の形態において、上方照明側前方仮想線Ｘ１と下方照明側前方仮想線Ｘ２とが交わる点がミラー１の上下方向における中央線Ａより高い位置である中で、このように、上方照明側後方仮想線Ｘ３と下方照明側後方仮想線Ｘ４とが交わる点は、ミラー１の上下方向における中央線Ａより、低い位置である。なお、本発明において、中央線Ａより「低い位置」は、中央線Ａと同じ高さ位置のものも含むものである。
【００６７】
下方照明部８から上方に向かって照射される光の照射範囲は、上方照明部６から下方に向かって照射される光の照射範囲より、小さい（狭い）。例えば、図１０に示すように、下方照明部８の上方発光面である第１の下方照明側通過部（下方照明側通過部）３２の表面からＬ１ミリメートル高い位置における、下方照明部８から上方に向かって照射される光の前後方向の照射範囲は、Ｌ２ミリメートルである。そして、上方照明部６の下方発光面である第１の上方照明側通過部（上方照明側通過部）２６の表面からＬ１ミリメートル低い位置における、上方照明部６から下方に向かって照射される光の前後方向の照射範囲は、Ｌ３ミリメートルである。このとき、Ｌ２はＬ３より小さい値である。
また、上方照明部６から下方に向かって照射される光の前後方向の照射範囲がＬ２ミリメートルである位置の、上方照明部６の下方発光面である第１の上方照明側通過部（上方照明側通過部）２６の表面からの長さは、Ｌ１ミリメートルより、短い。
このことは、例えば、第１の上方照明側通過部（上方照明側通過部）の前後方向の長さが、第１の下方照明側通過部（下方照明側通過部）の前後方向の長さより、長いものとなっていることから実現されている。
【００６８】
このように、下方照明部８から上方に向かって照射される光の照射範囲は上方照明部６から下方に向かって照射される光の照射範囲より小さいため、使用者がミラー１を見ながら自身の身だしなみ等をチェックするときなど下方からの照らし上げが必要ない動作を行う際には、下方照明部８から上方に向かって照射される光の照射範囲に入らず上方照明部６から下方に向かって照射される光の照射範囲内から身だしなみチェック等を行うことで、下方からの照らし上げによって使用者が感じる眩しさを低減することができる。一方で、髭剃り等の下方からの照らし上げが必要な行為を行う際には、使用者は下方照明部８から上方に向かって照射される光の照射範囲内に入ることによって、下方照射が必要な化粧等の行為を的確に行うことができる。
【００６９】
上方照明部６において、上方照明側前方仮想線Ｘ１及び上方照明側後方仮想線Ｘ３と上方照明側発光素子１０及び第１の上方照明側通過部（上方照明側通過部）２６との関係は、図８を用いて説明した。一方で、上方照明側発光素子１０及び第２の上方照明側通過部２８で定義される、上方照明部６の上方向への照射の仮想線は、下方照明側前方仮想線Ｘ２及び下方照明側後方仮想線Ｘ４と下方照明側発光素子１８及び第１の下方照明側通過部（下方照明側通過部）３２との関係と同様（仮想線の方向等が同一）となるため、これら仮想線の図示による説明は省略する。
【００７０】
下方照明部８において、下方照明側前方仮想線Ｘ２及び下方照明側後方仮想線Ｘ４と下方照明側発光素子１８及び第１の下方照明側通過部（下方照明側通過部）３２との関係は、図９を用いて説明した。一方で、下方照明側発光素子１８及び第２の下方照明側通過部３４で定義される、下方照明部８の下方向への照射の仮想線は、上方照明側前方仮想線Ｘ１及び上方照明側後方仮想線Ｘ３と上方照明側発光素子１０及び第１の上方照明側通過部（上方照明側通過部）２６との関係と同様（仮想線の方向等が同一）となるため、これら仮想線の図示による説明は省略する。
【００７１】
下方照明部８から上方に向かって照射される光の照射範囲は、上方照明部６から下方に向かって照射される光の照射範囲と、ミラー１を正面からみて横方向において略同一である。このことは、例えば、上方照明カバー１６内に配置された複数の上方照明側発光素子１０と、下方照明カバー２４内に配置された複数の下方照明側発光素子１８とが、同一の配置位置、配置個数になっていること、及び、第１の上方照明側通過部（上方照明側通過部）及び第１の下方照明側通過部（下方照明側通過部）の左右方向の長さが同一となっていること、から実現されている。
また、上述した通り、下方照明部８から上方に向かって照射される光の照射範囲は、上方照明部６から下方に向かって照射される光の照射範囲より、ミラー１を正面からみて前後方向において小さい（狭い）。
【００７２】
このことより、複数人が同時にミラー装置３を使って身だしなみの確認や化粧行為等を行った際にも、それぞれの使用者は、前後方向に移動することで、行為に合った光の照射範囲で作業を行うことができる。また、上方照明部６から下方に向かって照射される光の照射範囲は、下方照明部８から上方に向かって照射される光の照射範囲と、ミラー１を正面からみて横方向において略同一であるため、正面からみて横方向にシンメトリーに光が照射されていることになり、見栄えが良いミラー装置３となる。
【００７３】
図１０に示すように、上方照明部６から下方に向かって照射される光の最も前方側の部分である上方照明側前方仮想線Ｘ１と鉛直方向とが交わることで形成される上方照明部前方照射角度θ１は、下方照明部８から上方に向かって照射される光の最も前方側の部分である下方照明側前方仮想線Ｘ２と鉛直方向とが交わることで形成される下方照明部前方照射角度θ２より、大きい。上方照明部前方照射角度θ１は例えば５０度であり、下方照明部前方照射角度θ２は例えば３５度である。
【００７４】
このように、上方照明部前方照射角度θ１を下方照明部前方照射角度θ２より大きなものにするという簡単な構成によって、上方照明部６から下方に向かって照射される光の最も前方側の部分（上方照明側前方仮想線Ｘ１）と下方照明部８から上方に向かって照射される光の最も前方側の部分（下方照明側前方仮想線Ｘ２）とが交わる位置を、ミラー１の上下方向における中央より高い位置にすることができる。
【００７５】
また、図４、５で示したように、下方照明部８の上方発光面である第１の下方照明側通過部（下方照明側通過部）３２の前後方向の長さは、上方照明部６の下方発光面である第１の上方照明側通過部（上方照明側通過部）２６の前後方向の長さより、小さい。このように、発光面の前後方向の長さを変えるという簡単な構成で、使用者の行為に合った光の照射範囲で作業を行うことができるようになる。
【００７６】
図１１は、本発明の第１の変形例に係るミラーキャビネットを示す模式的断面図である。
【００７７】
図１１に示すように、本発明の第１の変形例に係るミラーキャビネット１０２Ａにおいて、照明装置２Ａの上方照明部６Ａは、前端が傾斜している傾斜部４０を有している。傾斜部４０は、上方から下方に向けて、ミラーキャビネット１０２Ａの後方に向かって傾斜している。
【００７８】
傾斜部４０の表面には、上方照明部６Ａの下方発光面である第１の上方照明側通過部（上方照明側通過部）２６Ａが設けられている。
【００７９】
ミラーキャビネット１０２Ａにおいては、傾斜部４０の表面に第１の上方照明側通過部（上方照明側通過部）２６Ａを設けることで、第１の上方照明側通過部（上方照明側通過部）２６Ａからミラー装置３Ａの前方方向へ照射された光は、より、ミラー装置３Ａの前方の遠くまで照射されることになる。なお、矢印は、それぞれの照明部から照射された光の前方仮想線及び後方仮想線を表しているものであるが、本発明はこの矢印の方向に限定されるものではない。
【００８０】
図１２は、本発明の第２の変形例に係るミラーキャビネットを示す模式的断面図である。
【００８１】
図１２に示すように、本発明の第２の変形例に係るミラーキャビネット１０２Ｂの照明装置２Ｂの上方照明部６Ｂ及び下方照明部８Ｂにおいては、上方照明側基板３０Ｂ及び上方照明側基板３８Ｂは、傾斜して設置されている。この構成により、上方照明側発光素子１０Ｂ及び下方照明側発光素子１８Ｂから放出された光は、上方照明部６Ｂ及び下方照明部８Ｂ内において、より前方に向かって進むことになる。この構成により、上方照明側発光素子１０及び下方照明側発光素子１８が真下に向かって光を放出している場合に比べ、より多くの光が第２の上方照明側通過部２８Ｂ及び第１の下方照明側通過部（下方照明側通過部）３２Ｂから照射されることになる。よって、このように、上方照明側基板３０Ｂ及び上方照明側基板３８Ｂの取り付け角度（傾斜角度）を調整して設置することで、第１の上方照明側通過部（上方照明側通過部）２６Ｂ、第２の上方照明側通過部２８Ｂ、第１の下方照明側通過部（下方照明側通過部）３２Ｂ、第２の下方照明側通過部３４Ｂから照射される光の光量（照度）を調整できる。
【００８２】
以上、本発明の実施の形態について説明した。しかし、本発明はこれらの記述に限定されるものではない。
【００８３】
本発明のミラー装置３は、本発明の実施の形態のように洗面化粧台１００の一部として設置されるもののみでなく、例えば、手洗い器の上方や、トイレルームやキッチン、浴室等に設置されるものも含む。
【００８４】
前述の実施の形態に関して、当業者が適宜設計変更を加えたものも、本発明の特徴を備えている限り、本発明の範囲に包含される。例えば、洗面化粧台１００やミラー装置３、３Ａなどが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１ ミラー、  ２ 照明装置、  ３、３Ａ ミラー装置、  ４ キャビネット本体、  ６、６Ａ、６Ｂ 上方照明部、  ８、８Ｂ 下方照明部、  １０、１０Ｂ 上方照明側発光素子、  １２ 上方照明本体部、  １４ 上方照明側発光素子支持部、  １６ 上方照明カバー、  １８、１８Ｂ 下方照明側発光素子、  ２０ 下方照明本体部、  ２２ 下方照明側発光素子支持部、  ２４ 下方照明カバー、  ２６、２６Ａ、２６Ｂ 第１の上方照明側通過部（上方照明側通過部）、  ２８、２８Ｂ 第２の上方照明側通過部、  ３０、３０Ｂ 上方照明側基板、  ３２、３２Ｂ 第１の下方照明側通過部（下方照明側通過部）、  ３４、３４Ｂ 第２の下方照明側通過部、  ３６ 電源装置、  ３８、３８Ｂ 下方照明側基板、  ４０ 傾斜部、  １００ 洗面化粧台、  １０２、１０２Ａ、１０２Ｂ ミラーキャビネット、  １０４ バックパネル、  １０６ ボウル部、  １０８ 水栓装置、  １１０ 収納キャビネット
【図１】
0006724460.tif 000002
【図２】
0006724460.tif 000003
【図３】
0006724460.tif 000004
【図４】
0006724460.tif 000005
【図５】
0006724460.tif 000006
【図６】
0006724460.tif 000007
【図７】
0006724460.tif 000008
【図８】
0006724460.tif 000009
【図９】
0006724460.tif 000010
【図１０】
0006724460.tif 000011
【図１１】
0006724460.tif 000012
【図１２】
0006724460.tif 000013